(57)【特許請求の範囲】
【請求項１】
物品を載置可能な載置部を備えるとともに、所定の情報を表示する表示面を有する運搬補助具の製造方法であって、
前記運搬補助具を成形するためのキャビティを形成する複数の金型を備える金型装置と、前記キャビティに対して溶融状態の熱可塑性樹脂を注入する射出装置と、前記キャビティ内の空気を吸引可能な吸引装置とを用い、
前記キャビティを画定する前記金型の成形面のうち前記表示面を成形する部位に対してラベルを設置する設置工程と、
前記ラベルが設置された前記キャビティに対して溶融樹脂を充填する充填工程と、
前記キャビティに充填された溶融樹脂を固化させる固化工程とを経ることで、
前記載置部を備えるとともに、前記ラベルによって前記所定の情報が表示された前記表示面を有する運搬補助具が一体的に形成され、
前記金型には、前記キャビティを画定する成形面において、前記射出装置から供給される溶融樹脂を前記キャビティへ導入するためのゲートが形成され、
前記金型のうち前記表示面を成形する部位には、前記キャビティを画定する成形面において収容凹部が形成されるとともに、前記収容凹部に嵌入される移動ブロックが設けられ、
前記収容凹部には、前記吸引装置と連通する第１吸引孔が形成されるとともに、前記移動ブロックのうち前記キャビティを画定する成形面には、前記第１吸引孔と連通する第２吸引孔が形成され、前記吸引装置により前記第１吸引孔及び前記第２吸引孔を介して前記キャビティ内の空気を吸引可能に構成され、
前記移動ブロックは、前記吸引装置の吸引力により前記第１吸引孔及び前記第２吸引孔を介して前記移動ブロックの成形面に吸着された前記ラベルの全体が前記収容凹部の内側に位置する退避位置と、前記成形面に吸着された前記ラベルの全体が前記収容凹部の外側に位置する成形位置との間を変位可能に構成され、
前記移動ブロックを前記退避位置とした状態で、前記充填工程を開始するとともに、前記キャビティに注入された溶融樹脂が、前記ラベルのうち前記ゲート側の辺部を越えて充填された後に、前記移動ブロックを前記成形位置とすることを特徴とする運搬補助具の製造方法。
【請求項２】
前記移動ブロックは、前記キャビティを画定する成形面側において凹部を有する本体部と、前記凹部に嵌入される入れ子とを備え、
前記本体部には、前記凹部の底面と、前記第１吸引孔とを連通させる連通孔が形成されるとともに、
前記凹部に対して前記入れ子を嵌入させることで、前記入れ子のうち前記キャビティを画定する成形面と、前記凹部の開口周縁部との間に、前記連通孔と連通する前記第２吸引孔としての前記スリットが形成されていることを特徴とする請求項１に記載の運搬補助具の製造方法。
【請求項３】
前記キャビティに溶融樹脂が充満する前のタイミングで、前記移動ブロックが前記退避位置から前記成形位置へと変位することを特徴とする請求項１又は２に記載の運搬補助具の製造方法。
【請求項４】
上記請求項１乃至３のいずれかに記載の製造方法によって形成される運搬補助具であって、
前記移動ブロックによって成形される前記ラベルの表面を含む部位は、前記収容凹部の開口周縁部によって形成される部位と面一、又は、前記収容凹部の開口周縁部によって形成される部位よりも没入していることを特徴とする運搬補助具。
【発明の詳細な説明】
【技術分野】
【０００１】
本発明は、物品の運搬等に使用される箱型容器やパレット等の運搬補助具及びその製造方法に関するものである。
【背景技術】
【０００２】
従来、複数の物品をまとめて、或いは、姿勢の安定し難い物品や壊れ易い物品を安定状態で運搬等する場合に、箱型容器やパレット等の運搬補助具が使用される。また、このような運搬補助具に対して所定の情報（会社名や商品名等）を付す場合において、運搬補助具を成形する金型装置のキャビティに対して、表面に前記所定の情報が印刷されたラベル（インモールドラベル）を設置してから、溶融状態の熱可塑性樹脂を充填・固化させることで、前記所定の情報が付された表示面を運搬補助具と同時に形成するといった技術がある。
【０００３】
ところで、キャビティに溶融樹脂を充填する際に、キャビティに注入された溶融樹脂がラベルの端縁に勢いよくぶつかることに起因して、ラベルが捲れたり、ラベルが位置ずれしたり、ラベルに皺が発生したりしてしまうといったおそれがある。
【０００４】
これに対し、キャビティを形成する成形面のうち、ラベルの設置される部位においてラベルを収容可能な凹部を形成することで、キャビティに注入された溶融樹脂のラベルの端縁への衝突を回避するといった技術がある（例えば、特許文献１等参照。）。
【先行技術文献】
【特許文献】
【０００５】
【特許文献１】特開２００４−３４３７２号公報
【発明の概要】
【発明が解決しようとする課題】
【０００６】
しかしながら、上記特許文献１のように前記凹部を形成した場合には、運搬補助具において、ラベルが運搬補助具の凸部に設けられることになる。このため、表面から突出位置にあるラベルに対してその他の物品等がぶつかったり擦れたりし易くなってしまい、ラベルの劣化を早めるとともに、外観品質の低下を招いてしまうおそれがある。
【０００７】
本発明は上記例示した問題点等を解決するためになされたものであって、その目的は、ラベルの位置ずれをより確実に防止するとともに、ラベルの損傷の抑制を図ることのできる運搬補助具及びその製造方法を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．物品を載置可能な載置部を備えるとともに、所定の情報を表示する表示面を有する運搬補助具の製造方法であって、
前記運搬補助具を成形するためのキャビティを形成する複数の金型を備える金型装置と、前記キャビティに対して溶融状態の熱可塑性樹脂を注入する射出装置と、前記キャビティ内の空気を吸引可能な吸引装置とを用い、
前記キャビティを画定する前記金型の成形面のうち前記表示面を成形する部位に対してラベルを設置する設置工程と、
前記ラベルが設置された前記キャビティに対して溶融樹脂を充填する充填工程と、
前記キャビティに充填された溶融樹脂を固化させる固化工程とを経ることで、
前記載置部を備えるとともに、前記ラベルによって前記所定の情報が表示された前記表示面を有する運搬補助具が一体的に形成され、
前記金型には、前記キャビティを画定する成形面において、前記射出装置から供給される溶融樹脂を前記キャビティへ導入するためのゲートが形成され、
前記金型のうち前記表示面を成形する部位には、前記キャビティを画定する成形面において収容凹部が形成されるとともに、前記収容凹部に嵌入される移動ブロックが設けられ、
前記収容凹部には、前記吸引装置と連通する第１吸引孔が形成されるとともに、前記移動ブロックのうち前記キャビティを画定する成形面には、前記第１吸引孔と連通する第２吸引孔が形成され、前記吸引装置により前記第１吸引孔及び前記第２吸引孔を介して前記キャビティ内の空気を吸引可能に構成され、
前記移動ブロックは、前記吸引装置の吸引力により前記第１吸引孔及び前記第２吸引孔を介して前記移動ブロックの成形面に吸着された前記ラベルの全体が前記収容凹部の内側に位置する退避位置と、前記成形面に吸着された前記ラベルの全体が前記収容凹部の外側に位置する成形位置との間を変位可能に構成され、
前記移動ブロックを前記退避位置とした状態で、前記充填工程を開始するとともに、前記キャビティに注入された溶融樹脂が、前記ラベルのうち前記ゲート側の辺部を越えて充填された後に、前記移動ブロックを前記成形位置とすることを特徴とする運搬補助具の製造方法。
【００１０】
手段１によれば、移動ブロックを退避位置としてキャビティに溶融樹脂を充填することで、ラベルの端縁に対してキャビティに注入された溶融樹脂が勢いよくぶつかってしまうといった事態を回避することができる。これにより、ラベルの浮き上がり、位置ずれ、及び皺の発生等を防止することができる。特に、キャビティのうち退避位置にある移動ブロックに吸着されたラベルと、当該ラベルに対向する成形面との間に形成されるキャビティの幅が、収容凹部の開口周縁部と、これに対向する成形面との間に形成されるキャビティの幅よりも広くなる場合には、ラベルが設置されている部位への溶融樹脂の流入速度を下げることができ、かかる作用効果が一層確実に奏される。
【００１１】
また、キャビティに対して溶融樹脂がラベルのゲート側の辺部を越えるまで充填された後、移動ブロックが成形位置へと変位するように構成されている。すなわち、キャビティに対して溶融樹脂がラベルのゲート側の辺部を越えるまで充填されていれば、既に充填されている溶融樹脂によって、ラベルが金型（移動ブロック）の成形面に押さえ付けられることとなる。このため、移動ブロックを退避位置から成形位置へと変位させ、ラベルを収容凹部の外側に位置させたとしても、ラベルの浮き上がり等を防止することができる。
【００１２】
さらに、移動ブロックが成形位置にある状態で運搬補助具が成形される（溶融樹脂の固化が完了する）ことから、製造された運搬補助具において、ラベルが運搬補助具の表面から突出してしまうといった事態を回避することができる。従って、ラベルの浮き上がり等がなく、ラベルが運搬補助具の表面から突出していない運搬補助具を確実に得ることができる。
【００１３】
当該運搬補助具にあっては、ラベルが運搬補助具の表面から突出するものに比べて、ラベルがその他の部材等にぶつかったり擦れたりする機会を低減させることができ、耐久性の向上等を図ることができる。特に、運搬補助具が、スタッキング及びネスティングの少なくとも一方の段積みを行えるように構成されている場合には、段積みに際して、ラベルが引っ掛かってしまうようなこともなく、比較的スムースに段積みを行うことができる。さらには、ラベルが運搬補助具の表面から突出していない分、運搬補助具をよりコンパクトに段積みすることができるとともに、重ねられた運搬補助具によってラベルが擦れてしまうといった事態を抑制することができる。
【００１４】
さらに、
また、例えば、移動ブロックを退避位置のまま固化工程を行ってしまうような場合に比べ、不要な部位が形成されてしまうといった事態を回避することができ、省資源化を図りつつ、運搬補助具の機能性の低下や、運搬補助具の肉厚が厚くなることに起因する成形歪み（ヒケ）の発生等の各種不具合を防止することができる。
【００１５】
尚、「所定の情報」とは、運搬補助具で運搬される物品に関わる情報（物品の製造・販売元の会社名や物品の商品名等）や、運搬等に関わる情報（運搬する会社名等）や、運搬補助具に関係する情報（運搬補助具の製造・販売元の会社名や商品名等）や、意匠性を向上させるようなイラストレーション等のラベル表面の印刷によって表示される情報だけでなく、ラベルの形状や設置位置によって認識できるような情報（運搬補助具の向きを把握できる等）についても含まれる趣旨である。
【００１６】
手段２．前記移動ブロックは、前記キャビティを画定する成形面側において凹部を有する本体部と、前記凹部に嵌入される入れ子とを備え、
前記本体部には、前記凹部の底面と、前記第１吸引孔とを連通させる連通孔が形成されるとともに、
前記凹部に対して前記入れ子を嵌入させることで、前記入れ子のうち前記キャビティを画定する成形面と、前記凹部の開口周縁部との間に、前記連通孔と連通する前記第２吸引孔としての前記スリットが形成されていることを特徴とする手段１に記載の運搬補助具の製造方法。
【００１７】
手段２によれば、移動ブロックの成形面において、ラベル吸引用のスリットを枠状に切れ目なく形成することができ、移動ブロックの成形面に対してラベルをバランスよく強固に吸着することができる。従って、移動ブロックが変位する場合でも、ラベルの位置ずれ等をより確実に防止することができる。
【００１８】
手段３．前記キャビティに溶融樹脂が充満する前のタイミングで、前記移動ブロックが前記退避位置から前記成形位置へと変位することを特徴とする手段１又は２に記載の運搬補助具の製造方法。
【００１９】
手段３によれば、キャビティに溶融樹脂が充満する前に、移動ブロックを退避位置から成形位置へと変位させている。このため、例えば、キャビティに溶融樹脂が充満した後に移動ブロックを成形位置へと変位させる場合のように、移動ブロックを比較的変位させ難くなる等のキャビティに充満している溶融樹脂の圧力に起因する各種不具合を招いたり、キャビティで余分となり、キャビティ外へ排出しなければならない溶融樹脂が比較的多く生じてしまったりするといった事態を回避することができる。
【００２０】
手段４．上記手段１乃至３のいずれかに記載の製造方法によって形成される運搬補助具であって、
前記移動ブロックによって成形される前記ラベルの表面を含む部位は、前記収容凹部の開口周縁部によって形成される部位と面一、又は、前記収容凹部の開口周縁部によって形成される部位よりも没入していることを特徴とする運搬補助具。
【００２１】
手段４によれば、ラベルが運搬補助具の表面と面一又は表面から没入した位置に設けられていることから、ラベルがその他の部材や床面にぶつかったり擦れたりするといった事態を抑制することができる。また、上記手段１等に記載のように製造されることで、ラベルの位置ずれ等を防止することができ、不良品の発生を低減させることができる。
【図面の簡単な説明】
【００２２】
【図１】箱型容器の断面図である。
【図２】（ａ）は、ネスティングされた箱型容器を示す部分断面図であり、（ｂ）は、（ａ）のＪ部を示す拡大図である。
【図３】移動ブロックが退避位置にある金型装置を示す部分断面図である。
【図４】移動ブロックが成形位置にある金型装置を示す部分断面図である。
【図５】金型装置を分解した状態を示す断面模式図である。
【図６】別の実施形態における金型装置の部分断面図である。
【発明を実施するための形態】
【００２３】
以下に、一実施形態について図面を参照して説明する。図１に示すように、運搬補助具としての箱型容器１は、相対する一対の長辺部と相対する一対の短辺部とを有する略矩形板状の底壁部２と、底壁部２の外周縁から上方に延出する略四角筒状の周壁部３と、周壁部３の上縁部から周壁部３の外周方向に突出する張出し部４とを備え、これらが型成形により一体的に形成されている。本実施形態の箱型容器１はポリプロピレンにより構成されている。
【００２４】
周壁部３は、底壁部２の各長辺部からそれぞれ上方に延出する一対の長辺側側壁部８と、底壁部２の各短辺部からそれぞれ上方に延出し、一対の長辺側側壁部８の側縁部間を連結する一対の短辺側側壁部９とから構成されている。また、周壁部３は上方に向けて外周側に若干傾斜して延びている。そして、本実施形態では、図２に示すように、箱型容器１同士を上下に積み重ねることで、上側の箱型容器１の底壁部２が下側の箱型容器１の周壁部３の内周側に収容され、上側の箱型容器１の周壁部３の外周面と、下側の箱型容器１の周壁部３の内周側とが当接するように構成されている。これにより、下側の箱型容器１に対する上側の箱型容器１の水平方向における位置ずれを防止しつつ、複数の箱型容器１をコンパクトに積み重ねる（ネスティングする）ことができるようになっている。
【００２５】
さて、本実施形態では、長辺側側壁部８の外面において、所定の情報（会社名や商品名等）が表示されている。詳しくは後述するが、本実施形態では、ポリプロピレンによって構成され、表面に前記所定の情報が印刷されたラベル１１（インモールドラベル）を、その表面が長辺側側壁部８の外面において露出するようにしてインサート成形することによって前記所定の情報を表示している。尚、本実施形態では、長辺側側壁部８の外面が表示面を構成し、底壁部２（底壁部２の上面）が載置部を構成する。
【００２６】
ラベル１１は、略矩形状をなしており、その上辺部及び下辺部が、長辺側側壁部８の上辺部及び下辺部と平行するようにして設けられている。また、長辺側側壁部８の外面のうち、ラベル１１が設けられる部位は、その周りの長辺側側壁部８の外面よりも若干周壁部３の内周側に没入した位置に設けられている。
【００２７】
次に、箱型容器１を成形する金型装置２１について、図３等を参照して説明する。金型装置２１は、底壁部２の下面や周壁部３の外周面等の箱型容器１の外面側を成形する雌型２２と、底壁部２の上面や周壁部３の内周面等の箱型容器１の内面側を成形する雄型２３とを備えている。これらの金型２２、２３には、箱型容器１の表面形状に対応した成形面がそれぞれ形成されており、これら成形面によって、箱型容器１を成形するキャビティ２５が形成される。また、雌型２２のうち底壁部２の下面を成形する部位には、キャビティ２５に連通するゲート２７と、前記ゲート２７に連通するとともに、図示しない射出装置のノズル先端が係合されるスプルー２８とが形成されている。
【００２８】
さらに、図５等に示すように、雌型２２のうち長辺側側壁部８の外面等を成形する部位（以下、長側面成形部３１と称する）には、キャビティ２５を画定する成形面において長方形状の収容凹部３２が形成されるとともに、前記収容凹部３２に対して移動ブロック４１が嵌入されている。長側面成形部３１には、収容凹部３２の底面と、収容凹部３２が形成された面とは反対側の面との間を連通させる吸引孔３３が形成されている。本実施形態では、吸引孔３３が第１吸引孔に相当する。
【００２９】
移動ブロック４１は、キャビティ２５を画定する成形面において長方形状の凹部４３が形成された本体部４２と、凹部４３に嵌入される入れ子４４とを備えている。本体部４２には、凹部４３の底面と、凹部４３が形成された面とは反対側の面との間を連通させる連通孔４５が形成されている。これにより、長側面成形部３１の吸引孔３３と、移動ブロック４１の本体部４２の連通孔４５とが連通することとなる。
【００３０】
入れ子４４は、基本的に、本体部４２の凹部４３に丁度収まるような略直方体形状をなしており、入れ子４４のうち、キャビティ２５を形成する成形面は、ラベル１１よりも一回り小さな略相似形状をなしている。また、入れ子４４を凹部４３の底面に当接するまで凹部４３に収容した場合には、入れ子４４の成形面が本体部４２の成形面と面一とされる。但し、本実施形態では、入れ子４４の成形面と、凹部４３の開口周縁部との間において、０．０２ｍｍ〜０．０５ｍｍ程度の隙間が形成されている。すなわち、移動ブロック４１の成形面には、連通孔４５に連通するスリット３５が、略四角枠状に延在するようにして形成されることとなる。尚、入れ子４４は、図示しない取付手段によって雌型２２に着脱自在に取付固定されている。
【００３１】
移動ブロック４１は、収容凹部３２の内周形状に対応した略直方体形状をなしている。また、移動ブロック４１（本体部４２）の外周面と、収容凹部３２の内周面との間には、入れ子４４の成形面と、凹部４３の開口周縁部との間の隙間よりも小さな隙間が形成されている。加えて、移動ブロック４１（本体部４２）の成形面の外寸は、ラベル１１の外寸よりも一回り大きく構成されている。
【００３２】
また、長側面成形部３１の吸引孔３３には、図示しない真空ポンプ等の吸引装置が接続（連通）されている。そして、吸引装置が駆動することによって、吸引孔３３、連通孔４５、及びスリット３５を介してキャビティ２５内の空気が吸引されることとなる。尚、スリット３５の幅は０．０２ｍｍ〜０．０５ｍｍ程度であるため、空気は当該スリット３５を通過可能であるが、溶融状態のポリプロピレン（以下、溶融樹脂と称する）はスリット３５を通過不可能となっている。
【００３３】
さて、本実施形態の移動ブロック４１は、収容凹部３２から出没する方向においてスライド変位可能に構成されており、ロッド４７を介して図示しない油圧シリンダ等の駆動装置に連結されている。また、移動ブロック４１の変位方向における幅は、収容凹部３２の深さよりも短くなっており、図３に示すように、移動ブロック４１（本体部４２）を収容凹部３２の底面に当接させた状態とすると、移動ブロック４１の成形面に吸着されたラベル１１の全体が、収容凹部３２の内側に収容されるように構成されている。以下、収容凹部３２の底面と当接した移動ブロック４１の位置を「退避位置」と称する。加えて、本実施形態では、退避位置にある移動ブロック４１に吸着されたラベル１１と、当該ラベル１１に対向する成形面との間のキャビティ２５の幅が、収容凹部３２の開口周縁部と、これに対向する成形面との間に形成されるキャビティ２５の幅よりも大きくなっている。
【００３４】
さらに、移動ブロック４１は、図４に示すように、当該移動ブロック４１の成形面が、収容凹部３２の開口周縁部よりもキャビティ２５の内側へ突出する位置まで変位可能に構成されている。このように、移動ブロック４１がキャビティ２５側へと変位することで、移動ブロック４１の成形面に吸着されたラベル１１の全体が、収容凹部３２の開口周縁部よりもキャビティ２５の内側に配置されることとなる。以下、成形面が収容凹部３２の開口周縁部よりもキャビティ２５の内側へと突出した移動ブロック４１の位置を「成形位置」と称する。
【００３５】
次に、箱型容器１の製造方法について説明する。まず、金型装置２１を型開きした状態で、吸引装置を駆動させるとともに、移動ブロック４１の成形面に対して、入れ子４４の成形面（スリット３５）の全体を覆うとともに、本体部４２の成形面の外周縁よりも内周側に収めるようにして、ラベル１１を印刷面が移動ブロック４１の成形面に接するように設置する。これにより、ラベル１１がスリット３５、連通孔４５、及び、吸引孔３３等を介して吸引装置に吸引され、ラベル１１が移動ブロック４１の成形面に密着した状態で保持される（吸着される）こととなる。特に、本実施形態では、ラベル１１の形状と、入れ子４４の成形面の形状とが略相似形状をなしており、ラベル１１がその全周域にわたってスリット３５から外周側に２．０ｍｍ〜５．０ｍｍ程度はみ出すようにして設置されるようになっている。尚、本実施形態では、ラベル１１を移動ブロック４１の成形面に設置する段階（型開きされた段階）では、移動ブロック４１が成形位置に存在するように構成されている。
【００３６】
続いて、ラベル１１が吸引装置によって吸引された状態のまま型締めする。本実施形態では、型締めが行われると、移動ブロック４１が退避位置へと変位するように構成されている。そして、移動ブロック４１が退避位置へと変位した後、射出装置によって溶融樹脂を、雌型２２に形成されたスプルー２８及びゲート２７を介してキャビティ２５に充填する。
【００３７】
また、本実施形態では、キャビティ２５において、ラベル１１のうちゲート２７側に位置する下辺部を越え、さらに、ラベル１１の上辺部よりも若干上方にまで溶融樹脂が充填された段階で、退避位置にある移動ブロック４１が成形位置へと変位するように構成されている。そして、キャビティ２５内への溶融樹脂の充填が完了した後、溶融樹脂を固化させる工程へと移る。
【００３８】
固化完了後、型開きして成形された箱型容器１を金型装置２１から取外す。以上のようにして、上記した底壁部２、周壁部３、及び、張出し部４等を具備するとともに、長辺側側壁部８の外面において、長辺側側壁部８から外方に突出することなく露出したラベル１１によって、前記所定の情報が表示された箱型容器１が得られることとなる。
【００３９】
以上詳述したように、本実施形態によれば、移動ブロック４１を退避位置としてから、キャビティ２５に溶融樹脂を充填するように構成されている。このため、ラベル１１の下辺部に対してキャビティ２５に注入された溶融樹脂が勢いよくぶつかってしまうといった事態を回避することができる。これにより、ラベル１１の浮き上がり、位置ずれ、及び皺の発生等を防止することができる。特に、本実施形態では、キャビティ２５のうち退避位置にある移動ブロック４１に吸着されたラベル１１と、当該ラベル１１に対向する成形面との間に形成されるキャビティ２５の幅が、収容凹部３２の開口周縁部と、これに対向する成形面との間に形成されるキャビティ２５の幅よりも大きくなっていることから、ラベル１１が設置されている部位への溶融樹脂の流入速度を下げることができ、かかる作用効果が一層確実に奏される。
【００４０】
また、本実施形態では、キャビティ２５において溶融樹脂がラベル１１の上辺部を若干超えて充填された段階で、退避位置にあった移動ブロック４１が成形位置へと変位するように構成されている。すなわち、キャビティ２５に対して溶融樹脂がラベル１１の設置位置にまで充填されていれば、既に充填されている溶融樹脂によって、ラベル１１が移動ブロック４１の成形面に押さえ付けられることとなる。このため、移動ブロック４１を退避位置から成形位置へと変位させ、ラベル１１を収容凹部３２の外側に位置させたとしても、ラベル１１の浮き上がり等を防止することができる。
【００４１】
さらに、移動ブロック４１が成形位置にある状態で箱型容器１が成形される（溶融樹脂の固化が完了する）ことから、製造された箱型容器１において、ラベル１１が箱型容器１の表面から突出してしまうといった事態を回避することができる。従って、ラベル１１の浮き上がり等がなく、ラベル１１が箱型容器１の表面（本例では長辺側側壁部８の外面）から突出していない箱型容器１を確実に得ることができる。
【００４２】
当該箱型容器１にあっては、ラベル１１が箱型容器１の表面から突出するものに比べて、ラベル１１がその他の部材等にぶつかったり擦れたりする機会を低減させることができ、耐久性の向上等を図ることができる。特に、本実施形態では、箱型容器１がネスティングを行えるように構成されているが、段積みに際して、ラベル１１が引っ掛かってしまうようなこともなく、比較的スムースに段積みを行うことができる。さらには、ラベル１１が箱型容器１の表面から突出していない分、箱型容器１をよりコンパクトに段積みすることができるとともに、重ねられた箱型容器１によってラベル１１が擦れてしまうといった事態を抑制することができる。
【００４３】
また、例えば、移動ブロック４１を退避位置のまま固化工程を行ってしまうような場合に比べ、不要な部位が形成されてしまうといった事態を回避することができ、省資源化を図りつつ、箱型容器１の機能性の低下や、箱型容器１の肉厚が厚くなることに起因する成形歪み（ヒケ）の発生等の各種不具合を防止することができる。
【００４４】
さらに、キャビティ２５に溶融樹脂が充満する前に、移動ブロック４１を退避位置から成形位置へと変位させているため、例えば、キャビティ２５への溶融樹脂の充填が完了した後に移動ブロック４１を成形位置へと変位させる場合のように、移動ブロック４１を比較的変位させ難くなる等のキャビティ２５に充満している溶融樹脂の圧力に起因する各種不具合を招いたり、キャビティ２５で余分となり、キャビティ２５外へ排出しなければならない溶融樹脂が比較的多く生じてしまったりするといった事態を回避することができる。
【００４５】
加えて、移動ブロック４１は、凹部４３が形成された本体部４２に入れ子４４を嵌入させることで構成されている。これにより、移動ブロック４１の成形面において、ラベル１１吸引用のスリット３５を枠状に切れ目なく形成することができ、移動ブロック４１の成形面に対してラベル１１をバランスよく強固に吸着することができる。従って、移動ブロック４１が変位する場合でも、ラベル１１の位置ずれ等をより確実に防止することができる。
【００４６】
尚、箱型容器１の成形において、ラベル１１を移動ブロック４１の成形面に設置する際に、ラベル１１をスリット３５から外周側へ５．０ｍｍを超えてはみ出させて設置する場合には、ラベル１１のはみ出した外周縁に対して吸引装置の吸引による保持力が及び難くなってしまうおそれがある。その一方で、ラベル１１のスリット３５からのはみ出し長さが１．０ｍｍ未満の場合には、ラベル１１のうちスリット３５に吸引された部位がスリット３５側に若干引き込まれること等に起因して、スリット３５とラベル１１とが好適に吸着せずに（スリット３５の周縁部とラベル１１との間に隙間ができて、そこからスリット３５に空気が流入するようになってしまい）保持が不十分になる可能性がある。
【００４７】
この点、本実施形態では、ラベル１１は、その外周縁全域にわたって、スリット３５を跨いで外周側に２．０ｍｍ〜５．０ｍｍ程度はみ出すようにして設置される。これにより、ラベル１１とスリット３５の周縁部との間からスリット３５に隙間風が入ることもなく、ラベル１１を吸引装置の吸引力で確実に保持することができるとともに、ラベル１１の外周縁にも十分に保持力を及ばせることができる。従って、ラベル１１をより安定して吸着保持することができる。
【００４８】
尚、上記実施形態の記載内容に限定されず、例えば次のように実施してもよい。勿論、以下において例示しない他の応用例、変更例も当然可能である。
【００４９】
（ａ）上記実施形態では、キャビティ２５においてラベル１１の上辺部よりも若干上方にまで溶融樹脂が充填された段階で、退避位置にある移動ブロック４１が成形位置へと変位するように構成されているが、移動ブロック４１を成形位置へと変位させるタイミングは、キャビティ２５においてラベル１１のうちゲート２７側の部位である下辺部よりも上方にまで溶融樹脂が充填された後であればよい。
【００５０】
（ｂ）上記実施形態では、成形位置にある移動ブロック４１は、その成形面が、収容凹部３２の開口周縁部よりもキャビティ２５の内側に突出しているが、図６に示すように、成形位置にある移動ブロック４１の成形面が、収容凹部３２の開口周縁部と面一となるように構成してもよい。この場合、製造された箱型容器１において、ラベル１１の表面と長辺側側壁部８の外面とが面一とされる。
【００５１】
（ｃ）上記実施形態では、ラベル１１を移動ブロック４１の成形面に設置する段階において、移動ブロック４１が成形位置に存在するように構成されているが、特にこのような構成に限定されるものではなく、退避位置に存在するように構成してもよいし、移動ブロック４１の成形面と収容凹部３２の開口周縁部とが面一となる位置に存在するよう構成してもよい。但し、移動ブロック４１の成形面を収容凹部３２の開口周縁部と面一又は収容凹部３２の開口周縁部よりもキャビティ２５側に突出させた状態とすることで、移動ブロック４１の成形面にラベル１１を設置する作業を行い易くすることができる。また、移動ブロック４１の成形面とラベル１１の表面とがほぼ同形状をなしている場合には、ラベル１１を移動ブロック４１の成形面に設置する段階で、ラベル１１（吸着面とは反対側の面、すなわち、成形品において露出する面とは反対側の埋もれる面）が収容凹部３２の開口周縁部と面一となる位置に存在するよう構成することでも、かかる設置作業性の向上を図ることができる。
【００５２】
（ｃ）上記実施形態では、移動ブロック４１に形成された凹部４３に入れ子４４を嵌入させることで、入れ子４４と凹部４３の開口周縁部との間に四角枠状のスリット３５が形成されているが、特にこのような構成に限定されるものではない。例えば、入れ子４４及び凹部４３を省略して移動ブロック４１を貫通する孔やスリットを形成してもよい。但し、入れ子４４を設けることで、移動ブロック４１の成形面においてラベル１１吸引用のスリット３５を枠状に切れ目なく形成することができ、ラベル１１をより強固に吸着することができる。
【００５３】
また、上記実施形態において、入れ子４４の形状については特に限定されるものではなく、例えば、キャビティ２５を構成する成形面以外の部位に溝を形成し、吸引装置自体の吸引力を高めることなく、ラベル１１を吸引する力を高めることとしてもよい。
【００５４】
さらに、図３等では、箱型容器１が上方に開口する向きで、金型装置２１によって成形されるようになっているが、例えば、箱型容器１が側方に開口するような向き（底壁部２が上下に延びるような向き）で成形されるように構成してもよい。また、上記実施形態では、金型装置２１において、箱型容器１の底壁部２（の下面）を成形する位置にゲート２７が形成されているが、特にこのような構成に限定されるものではない。例えば、ゲート２７が形成された成形面においてスリット３５を形成しラベル１１を設置することも可能である。
【００５５】
（ｄ）また、上記実施形態では、ラベル１１が矩形状をなし、その上辺部下辺部が長辺側側壁部８の上辺部及び下辺部に平行するようにして配置されているが、ラベル１１の形状、大きさ、設置の向き等は特に限定されるものではなく、例えば、側辺部が屈曲したり湾曲したり（ラベル１１が円形）していてもよいし、ラベル１１の各側辺部が長辺側側壁部８の上辺部や下辺部に対していずれも傾斜するようにして配置されてもよい。
【００５６】
さらに、上記実施形態では、ラベル１１は長辺側側壁部８の外面に対応して設けられているが、特にこのような構成に限定されるものではなく、長辺側側壁部８の内面、短辺側側壁部９の外面・内面、底壁部２の上面・下面、張出し部４の上面等に設けることも可能である。加えて、箱型容器１に設けられるラベル１１の枚数や、ラベル１１が露出状態で設けられる壁部の数についても特に限定されるものではなく、例えば、各長辺側側壁部８及び各短辺側側壁部９の外面全てにラベル１１を設けることとしてもよい。
【００５７】
（ｅ）上記実施形態では、ラベル１１の外周縁全周域がスリット３５の外周側に位置するようにラベル１１が移動ブロック４１の成形面に設置されているが、特にこのような構成に限定されるものではない。但し、ラベル１１のうち少なくともゲート２７側の部位（上記実施形態では下辺部側の部位に相当）がスリット３５を跨ぐ（上記実施形態では、スリット３５を跨いで下方にはみ出す）とともに、ラベル１１のうちスリット３５をはみ出した長さが１．０ｍｍ〜５．０ｍｍの範囲内となっていることが望ましい。
【００５８】
（ｆ）上記実施形態では、箱型容器１に具体化されているが、物品の運搬・保管に際して使用される運搬補助具に適用されていればよく、例えば、底の浅いトレー及び有底円筒状の容器や、パレット等にも適用することができる。
【００５９】
また、上記実施形態では、箱型容器１同士がネスティング可能に構成されているが、スタッキングが可能な運搬補助具や、ネスティング及びスタッキングの両方が可能な運搬補助具や、ネスティング及びスタッキングの両方とも行うことのできない運搬補助具に適用することも可能である。
【００６０】
（ｇ）また、ラベル１１を視認することで得られる情報としては特に限定されるものではなく、適宜変更可能である。例えば、箱型容器１で運搬される物品に関わる情報（物品の製造・販売元の会社名や物品の商品名等）や、運搬等に関わる情報（運搬する会社名等）や、箱型容器１に関係する情報（箱型容器１の製造・販売元の会社名や箱型容器１の商品名等）や、意匠性を向上させるようなイラストレーション等が挙げられる。また、ラベル１１の表面の印刷によって表示される情報だけでなく、ラベル１１の形状や設置位置によって認識できるような情報（箱型容器１の向きを把握できる等）についても含まれる趣旨である。
【００６１】
（ｈ）上記実施形態では、箱型容器１はポリプロピレンによって構成されているが、ポリエチレン、ＰＥＴ、ポリアミド等その他の樹脂材料（熱可塑性樹脂）によって構成されることとしてもよい。また、ラベル１１はポリプロピレンフィルムによって構成されているが、ポリエチレンフィルム、ナイロンフィルム等のその他の樹脂材料によって構成されることとしてもよい。尚、上記実施形態では、箱型容器１本体とラベル１１との構成材料が同じであることから、リサイクル性の向上を図ることができる。
【符号の説明】
【００６２】
１…箱型容器、２…底壁部、８…長辺側側壁部、１１…ラベル、２１…金型装置、２２…雌型、２３…雄型、２５…キャビティ、２７…ゲート、３１…長側面成形部、３２…収容凹部、３３…吸引孔、３５…スリット、４１…移動ブロック、４２…本体部、４３…凹部、４４…入れ子、４５…連通孔。
【図１】
0005697156.tif 000002
【図２】
0005697156.tif 000003
【図３】
0005697156.tif 000004
【図４】
0005697156.tif 000005
【図５】
0005697156.tif 000006
【図６】
0005697156.tif 000007